(57)【特許請求の範囲】
【請求項１】
一端部を一方向に引っ張ることによって分解されるように１枚の帯状のシート部材を袋状に形成してこの中に自己現像処理型のフイルムユニットを複数枚積層して光密に収納したフイルムパックと、前記シート部材の一端部を係止するとともにカメラ側の駆動手段によって回転される巻取り軸と、この巻取り軸とフイルムパックを収納する箱部材と、この箱部材の内部に設けられ、前記巻取り軸，フイルムパックを各所定位置に着脱自在に固定する複数の固定手段と、前記箱部材の内部に設けられ、前記巻取り軸の両端部を捕捉して回転自在に支持するカメラ側の支持手段を受け入れる受入れスペースとからなることを特徴とするフイルムパック収納包装体。
【請求項２】
一端部を一方向に引っ張ることによって分解されるように１枚の帯状のシート部材を袋状に形成してこの中に自己現像処理型のフイルムユニットを複数枚積層して光密に収納したフイルムパックと、前記シート部材の一端部を係止する巻取り軸と、この巻取り軸とフイルムパックを収納する箱部材とからなるフイルムパック収納包装体を用い、前記フイルムユニットが装填されるフイルム装填室と、裏蓋の開閉動作に連動してフイルム装填室に出し入れされ、裏蓋の開位置ではフイルムパック収納包装体を受け入れる受入れ口が露呈される予備室と、この予備室に設けられ、フイルムパック収納包装体が予備室に挿入された際に箱部材に入り込み、巻取り軸を捕捉して回動自在に支持する支持部材と、箱部材が予備室から引き出された後、裏蓋の閉じ動作に応動して予備室がフイルム装填室に収納されることにより巻取り軸に連結される巻取り軸の回転駆動手段とを備え、巻取り軸の回転が進むにつれて巻取り軸にシート部材が巻き取られてゆき、フイルムパックが分解してフイルムユニットがフイルム装填室に装填されることを特徴とするカメラ。
【発明の詳細な説明】
【０００１】
【発明の属する技術分野】
本発明は、フイルムパック収納包装体及びカメラに関し、さらに詳しくは自己現像処理型のフイルムユニットの装填作業が簡単，迅速にできるフイルムパック収納包装体及びカメラに関するものである。
【０００２】
【従来の技術】
インスタントカメラに装填して使用されるインスタントフイルムパック（以下フイルムパックという）が知られている。このフイルムパックは、例えば特開平７−２０９８１４号公報に記載されているように、箱状をしたハードプラスチック製の遮光容器（ハードケース）の中に矩形状をしたモノシートタイプの自己現像処理型フイルムユニット（以下、フイルムユニットという）を複数枚重ねて収納したものである。このフイルムユニットは、感光層及び受像層を層設した感光シートの相対する一方の縁部に現像処理液を封入した現像処理液ポッド，他方の縁部に余剰現像処理液を捕捉して硬化させるトラップ部を設けたもので、最後まで１枚のシートとして取り扱うことができるものである。
【０００３】
前記ハードケースには、露光用開口と、露光済みのフイルムユニットを排出するための排出口とが形成されており、この内部には、前記露光用開口を遮光するハードプラスチック製の薄い板状の遮光カバーが最上層のフイルムユニットの露光面に重ねられて収納され、さらに最下層のフイルムユニットと内壁面との間にフイルムユニットを露光用開口側へ押しつけるバネ部材が収納されている。このように、フイルムパックのハードケースは多量の樹脂や金属を用い、複雑な構造を有するコストの高いものであるにもかかわらず、内蔵した全てのフイルムユニットを撮影し終わった後はゴミとして廃棄されるため、コストや資源保護，環境保護等の面で問題があった。
【０００４】
一方、特開平３−８９３３８号公報には、積層した複数枚のＸ線フイルムシートを収納した可撓性バックのサイドにフイルムシートの取出し用の開口を設け、この開口が遮光性カバーによってシールされた日中装填用フイルムシート包装体が記載されている。この包装体は、一旦マガジンに装填されてからＸ線装置に装着される。遮光性カバーの先端はマガジン内のスピンドルに巻き付けられており、マガジンがＸ線装置に装填されると、スピンドルが駆動して遮光性カバーが可撓性バックから引き剥がされ、開口が露呈される。次に、Ｘ線装置内に設けられた吸着装置またはフィンガにより開口を介してフイルムシートが引き出された後、このフイルムシートはフイルム駆動ローラにより装置内の所定位置まで移送される。
【０００５】
また、特開平８−６２７８２号公報には、積層した複数枚のフイルムシートを保護キャリアで部分的に取り囲み、この保護キャリアとフイルムシートとを可撓性の光遮蔽包装体で包んだパッケージが記載されている。このフイルムパックはプリンタに装填されると、フイルムパックの一端部が切断され、他端部がローラによって把握されて除去されるようになっており、プリンタ内に保護キャリアとフイルムシートとが残留される。
【０００６】
【発明が解決しようとする課題】
上記公報記載の包装体やパッケージでフイルムシートの代わりに上記フイルムユニットを用いたフイルムパックが考えられるが、次のような問題点がある。上記特開平３−８９３３８号公報記載のような包装体は、上記のハードケースを用いるフイルムパックに比べてコストが安く廃棄物が少ない点では有利であるが、マガジンに一旦装填した後、このマガジンを装置に装着する二重の手間が必要な点と、包装体を直に手で把持すると、包装体が可撓性であるから、手の圧力で内部のフイルムユニットに圧力カブリを生じさせたり、また包装体とフイルムユニットとが擦れてフイルムユニットにスタチックカブリを起こさせる場合がある点が問題となる。
【０００７】
また、上記特開平８−６２７８２号公報記載のようなパッケージは、上記ハードケースを用いるフイルムパックに比べてコストが安く廃棄物が少ない点，またマガジンを用いない点で特開平３−８９３３８号公報記載のフイルムパックより有利である。しかしながら、光遮蔽包装体をローラで引っ張り出すにはきわめて大きな力を要求されるため、大きな駆動用モータ等が必要となってカメラサイズが大きくなるとともにカメラのコスト高になる。また、光遮蔽包装体は可撓性であるから、上記特開平３−８９３３８号公報記載の包装体と同様に、直接に把持すれば、圧力カブリやスタチックカブリの発生が懸念される。
【０００８】
本発明は、フイルムユニットの装填作業が簡単，迅速にでき、廃棄物が少なくローコストでしかもフイルムユニットに圧力カブリやスタチックカブリが発生するおそれがないフイルムパック収納包装体及びカメラを提供することを目的とする。
【０００９】
【課題を解決するための手段】
上記目的を達成するために、本発明のフイルムパック収納包装体は、一端部を一方向に引っ張ることによって分解されるように１枚の帯状のシート部材を袋状に形成してこの中に自己現像処理型のフイルムユニットを複数枚積層して光密に収納したフイルムパックと、前記シート部材の一端部を係止するとともにカメラ側の駆動手段によって回転される巻取り軸と、この巻取り軸とフイルムパックを収納する箱部材と、この箱部材の内部に設けられ、前記巻取り軸，フイルムパックを各所定位置に着脱自在に固定する複数の固定手段と、前記箱部材の内部に設けられ、前記巻取り軸の両端部を捕捉して回転自在に支持するカメラ側の支持手段を受け入れる受入れスペースとから構成したものである。
【００１０】
本発明のカメラは、一端部を一方向に引っ張ることによって分解されるように１枚の帯状のシート部材を袋状に形成してこの中に自己現像処理型のフイルムユニットを複数枚積層して光密に収納したフイルムパックと、前記シート部材の一端部を係止する巻取り軸と、この巻取り軸とフイルムパックを収納する箱部材とからなるフイルムパック収納包装体を用い、前記フイルムユニットが装填されるフイルム装填室と、裏蓋の開閉動作に連動してフイルム装填室に出し入れされ、裏蓋の開位置ではフイルムパック収納包装体を受け入れる受入れ口が露呈される予備室と、この予備室に設けられ、フイルムパック収納包装体が予備室に挿入された際に箱部材に入り込み、巻取り軸を捕捉して回動自在に支持する支持部材と、箱部材が予備室から引き出された後、裏蓋の閉じ動作に応動して予備室がフイルム装填室に収納されることにより巻取り軸に連結される巻取り軸の回転駆動手段とを備え、巻取り軸の回転が進むにつれて巻取り軸にシート部材が巻き取られてゆき、フイルムパックが分解してフイルムユニットがフイルム装填室に装填されるようにしたものである。
【００１１】
【発明の実施の形態】
本発明の実施形態であるフイルムパック収納包装体１は、図２に示すように、フイルムパック２と、丸棒状の巻取り軸３と、フイルムパック２及び巻取り軸３を収納する紙製の箱部材５とからなる。この箱部材５の下部は開口６になっており、これが紙製の蓋部材７によって塞がれている。なお、箱部材５の上部には、店頭につり下げる際等に使用される孔８ａが形成されたタブ８が設けられている。
【００１２】
図３に示すように、巻取り軸３の中央部には隙間Ｌ1 のスリット３ａが形成され、また巻取り軸３の一端側には後述するカメラの展開ローラのギアと噛合されるギア１０が固定されている。前記スリット３ａには、図４に示すように、フイルムパック２の遮光袋１２を形成しているシート部材１２ａの一端部が挿通され、係止されている。
【００１３】
巻取り軸３の径γφは、４φ〜８φが好ましく、本実施形態ではγ＝６ｍｍとした。なお、γ＜４ｍｍでは細過ぎて強度が不十分となり、またγ＞８ｍｍでは太過ぎてシート部材１２ａの巻太りが生じ、カメラの小型化が困難になる。また、スリット３ａの隙間Ｌ1 は、０．２ｍｍ〜０．６ｍｍ程度とする。この隙間Ｌ1 は、例えば厚み０．２ｍｍのシート部材１２ａを差し込むには狭過ぎるが、巻取り軸３はやや柔らかな樹脂から成形されており、巻取り軸３を捻ると、隙間Ｌ1 が大きくなるから、この状態にしてシート部材１２ａの一端部を挿入するようにする。
【００１４】
巻取り軸３に使用する材料は、塩化ビニル，ポリスチレン，ポリカーボネート，ポリフェニレンエーテル，ポリアセタール，ポリアミド，ポリエチレンテレフタレート，ポリブチレンテレフタレート，ＡＢＳ樹脂，ＡＳ樹脂などを使用することができる。本実施形態では、ポリアセタールを使用した。また、金属材料を使用してもよい。さらに軸部分とギア部分は異なる材料を使用してもよい。
【００１５】
箱部材５は、図５に示すように、フイルムパック２がほぼ中央部に収納され、最奥の内壁面５ａとの間に巻取り軸３を収納するスペース１３と、左右の内壁面５ｂ，５ｃとの間に、巻取り軸３の後述する支持部材を受け入れるスペース１４，１５とが形成されるように、フイルムパック２より大きなサイズとなっている。
【００１６】
箱部材５の内壁面５ａ側の両隅部には、巻取り軸３の両端３ｂ，３ｃを当接させて巻取り軸３をスペース１３内に挟持，固定する軸押さえ部材１６，１７が固着されている。この軸押さえ部材１６，１７は、例えば短冊状の厚紙を円弧状に湾曲させて弾性を持たせたものである。そして、内壁面５ａには、例えば発泡スチロールやスポンジ等から形成された角材状の弾性部材１８，１９が固着されており、巻取り軸３と内壁面５ａとが所定距離で離間されている。また、弾性部材２０ａ，２０ｂは、巻取り軸３とフイルムパック２との間にスペースをとり、後述するカメラのフイルム装填室５１の壁が挿入できるようにする。なお、弾性部材１８，１９，２０ａ，２０ｂは十分に柔らかく、後述する装填時に箱部材５の上部を押す力を吸収するから、この押す力がフイルムパック２に伝わることがない。
【００１７】
前記スペース１４，１５は、フイルムパック２を箱部材５の中央に位置決めする押さえ部材２１，２２によって形成されている（図６参照）。これら押さえ部材２１，２２は、短冊状の厚紙を直角に折ったもので、後述するカメラ側の支持部材がスペース１４，１５に挿入された際には、この支持部材の先端に押されて倒伏される。また、図６に示すように、押さえ部材２１，２２の幅Ｌ2 及び立設した部分の長さＬ3 は、例えば１０ｍｍとし、スペース１４，１５の高さＬ4 は例えば１５ｍｍとする。なお、フイルムユニット３０として富士写真フイルム株式会社製のインスタントフイルム「ＡＣＥ」（商品名）を用いた場合、押さえ部材２１，２２同志の間隔Ｌ5 は１０５ｍｍとする。
【００１８】
蓋部材７の内側中央部には、例えば発泡スチロール等から形成された角材状の弾性部材２４が取り付けられており、蓋部材７によって箱部材５の開口６を塞いだ際にフイルムパック２の下部を支持するようになっている。なお、押さえ部材２１，２２によってフイルムパック２が位置決めされているので、弾性部材１８，１９，２０ａ，２０ｂ，２４は省略することもできる。
【００１９】
フイルムパック２は、図７に示すように、遮光袋１２と、この中に積層されて収納された複数枚，例えば１０枚のフイルムユニット３０からなる。このフイルムユニット３０は自己現像処理型であり、周知のように、感光層及び受像層を層設した感光シート３１，現像処理液を封入した現像処理液ポッド３２，余剰現像処理液を捕捉して硬化させるトラップ部３３がユニット化されており、最後まで１枚のシートとして取り扱うことができる矩形状をしたモノシートタイプである。
【００２０】
遮光袋２は、図８に示すように、長手方向の長さＤ1 （約４１６ｍｍ）がフイルムユニット３０の長さＤ2 （約９６ｍｍ）の約４．３倍の１枚の帯状をしたシート部材１２ａから形成されている。このシート部材１２ａは、積層した１０枚のフイルムユニット３０を二つ折りで包み込むほぼ長方形をした包装部３５と、この一端部を長手方向に延長して設けられた舌片部３６とから構成されている。なお、シート部材１２ａの材料としては、例えばカーボンブラックを混入したポリエチレン（ＰＥ）を用いることができる。本実施形態では、厚さ２０μｍのポリエチレンシートと厚さ１２μｍのポリエステルシートをラミネートし、ウレタン系弱シール接着剤を一方に塗設した部材を使用した。
【００２１】
包装部３５は、幅Ｄ3 ×長さＤ4 の長方形をしており、幅Ｄ3 はフイルムユニット３０の幅Ｄ5 （約９６ｍｍ）よりやや大きい約１２３ｍｍとし、長さＤ4 はフイルムユニット３０の長さＤ2 の２倍よりやや長い約２２０ｍｍとしてある。舌片部３６は、包装部３５の一端部を長さＤ6 （１０ｍｍ）延長した根元部３６ａと、その先をαＲの円弧状縁で狭めて先端部３６ｂ（前記シート部材１２ａの一端部）の幅Ｄ7 を６０ｍｍとした細幅部３６ｃとからなる。なお、αは１００ｍｍ〜３００ｍｍとし、本実施形態では１６０ｍｍとしてある。
【００２２】
包装部３５の両側の縁部３５ｂ，３５ｃには、斜線で示すように、端部３５ａの両角部から舌片部３６の根元部３６ａの角Ｐ，Ｑまで直線状に幅Ｄ8 （４ｍｍ）で弱シール用の接着剤３７を薄く塗布したシール部３８ａ，３８ｂが設けられている。また、角Ｐ，Ｑ間の幅Ｄ3 方向には、角Ｐ，Ｑを裾野端として頂上部４０ａを先端部３６ｂ側とした山形状のシール部４０が設けられている。このシール部４０は、前記接着剤３７を幅Ｄ9 （２ｍｍ）で薄く塗布したものである。なお、前記シール部３８ａ，３８ｂ，４０の接着剤３７は、塗布して乾燥した後は、通常の取扱では他の物と接着したり、埃を吸着することはなく、加熱・加圧したときにのみ接着力を発揮するものである。
【００２３】
シート部材３８ａでフイルムユニット３０を包むには、まず包装部３５の長さＤ4 の半分の位置の折り線４２でシート部材３８ａを二つ折りにし、この間に積層した１０枚のフイルムユニット３０を挿入する。次に、フイルムユニット３０をくるむように舌片部３６を包装部３５の上に重ねて山形状のシール部４０を舌片部３６の上から加熱・加圧する。これにより、図９に示すように、舌片部３６の根元部３６ａが包装部３５の端部３５ａ近傍の表面に接着され、シート部材３８ａが筒状になって、この筒の中にフイルムユニット３０がくるまれた状態になる。
【００２４】
この後、包装部３５の開口部４４，４５のフイルムユニット３０の四隅近傍の縁部３５ｂ，３５ｃは、開放された側方から観てＭ字形となるように折り込まれた後、相対するシール部３８ａ同志，シール部３８ｂ同志がそれぞれ密着されて外側から加熱・加圧され、包装部３５の縁部３５ｂ，３５ｃが光密に弱シールされる。この後、立設した状態になっている縁部３５ｂ，３５ｃを倒伏して弱シールする。
【００２５】
次に、シート部材３８ａの舌片部３６をシール部４０の頂上部４０ａより僅かに現像処理液ポッド３２寄りの位置から折り返し、トラップ部３３側をくるむようにして現像処理液ポッド３２から外側に舌片部３６の先端部３６ｂが突出するようにすれば、図７に示すようなフイルムパック２が完成される。
【００２６】
フイルムパック２は、舌片部３６の先端部３６ｂに巻取り軸３を係止した後、この巻取り軸３を先にして箱部材５の中に挿入される。このとき、例えば先端がＵ字形に形成された一対の棒状治具で巻取り軸３の両端部を保持したまま巻取り軸３をフイルムパック２と一緒に挿入し、巻取り軸３が軸押さえ部材１６，１７に挟持された後、一対の棒状治具をスペース１４，１５から引き抜くようにすればよい。この後、棒状治具によって倒伏された押さえ部材２１，２２を引き起こし、押さえ部材２１，２２によってフイルムパック２の両側部の位置決めを行った後、蓋部材７によって開口６を塞げば、フイルムパック収納包装体１が完成される。なお、蓋部材７は不用意に落下しないように箱部材５と蓋部材７との境界にシール片等が貼り付けられ、箱部材５に固定される。
【００２７】
このように構成されたフイルムパック収納包装体１を用いるカメラ５０は、図１及び図１０に示すように、フイルム装填室５１に出し入れ自在で、フイルムパック収納包装体１が挿入される予備室５２を備えている。予備室５２は、裏蓋５３の内側に軸５４を中心に回動自在に取り付けられており、軸部５４に仕掛けられたバネ（図示せず）によって裏蓋５３から離れる方向に付勢され、また裏蓋５３に固定された金具５５の長孔５５ａと予備室５２の背板５６に固定されたピン５７によるストップ機構によって開き度合が規制されている。なお、予備室５２の上部には、フイルムパック収納包装体１を受け入れる受入れ口５２ａが形成され、前面には露光用の開口５２ｂが形成されている。また、背板５６の中央部は、裏蓋５３の内壁面に固定された圧板６１を受け入れる開口５６ａが形成されている。
【００２８】
予備室５２の内側の両隅部には、図のように、一対の細長い板状の支持部材６２，６３が設けられている。この支持部材６２，６３の各先端部には、巻取り軸３の端部を捕捉して回動自在に支持する切欠６５がそれぞれ形成されている。この切欠６５は、Ｖ字形の溝６５ａと、その奥に形成された円形の孔６５ｂとからなる。支持部材６２，６３の各先端部は、巻取り軸３が溝６５ａに押し込まれると変形して巻取り軸３を孔６５ｂまで受け入れる。そして、巻取り軸３が孔６５ｂに入った後、支持部材６２，６３の各先端部の変形が元に戻って、巻取り軸３が不用意に脱落しないように捕捉する。
【００２９】
フイルム装填室５１の上部には、撮影済みのフイルムユニット３０をフイルム装填室５１から排出するスリット状のフイルム排出口５１ａが形成されており、さらにこの上方にはフイルムユニット３０を挟持して外部に向かって搬送するとともに、現像処理液ポッド３２を押しつぶして中の現像液を感光シート３１に展開する一対の展開ローラ６７，６８が設けられている。この展開ローラ６８には、裏蓋を閉じた際に、巻取り軸３のギア１０と噛合されるギア７０が設けられている。また、展開ローラ６７，６８の上方には、撮影済みのフイルムユニット３０を外部に排出するスリット状のフイルム排出口７１が形成されている。
【００３０】
このようなカメラ５０にフイルムユニット３０を装填するには、まず裏蓋５３を開けて予備室５２の受入れ口５２ａを露呈させる。次に、フイルムパック収納包装体１から蓋部材７を取り外し、フイルムパック収納包装体１を箱部材５の開口６を先頭にして受入れ口５２ａから予備室５２に挿入すると、支持部材６２，６３が箱部材５内のフイルムパック脇のスペース１４，１５に差し込まれる。支持部材６２，６３はすぐに押さえ部材２１，２２に当接するが、フイルムパック収納包装体１を挿入する力によって押さえ部材２１，２２は容易に倒伏され、さらに奥まで挿入できるようになる。
【００３１】
フイルムパック収納包装体１を予備室５２内に挿入してゆくと、支持部材６２，６３の各先端部が巻取り軸３の各端部に当接されるから、図１の矢印α，βに示すように、箱部材５の上部両端をほぼ垂直に押圧すると、弾性部材１８，１９を介して巻取り軸３の各端部が切欠６５の溝６５ａ内に強く押しつけられる。これにより、図１１に示すように、支持部材６２，６３の各先端部が弾性変形し、巻取り軸３の各端部が孔６５ｂまで挿入される。次の瞬間に支持部材６２，６３の各先端部が元の形状に戻って、巻取り軸３の各端部が支持部材６２，６３に回動自在に捕捉される。この後、タブ８を引っ張って箱部材５を引き上げると、予備室５２内にフイルムパック２が残留される。
【００３２】
この後、裏蓋５３を閉じると、図１０に示すように、巻取り軸３のギア１０が展開ローラ６８のギア７０に噛合する。次に、シャッタボタンを押し下げると、展開ローラ６８の回転により巻取り軸３が回転し、舌片部３６が巻取り軸３の周りに巻き付けられてゆく。舌片部３６が巻取り軸３に巻き取られてゆくに従って、まずシール部４０の頂上部４０ａに引っ張り力が集中して働くため、シール部４０は僅かな引っ張り力で容易に剥がれ始める。この剥がれは、頂上部４０ａから徐々にシール部４０の裾野端でもある角Ｐ，Ｑに向かって伝播し、シール部４０の全部が剥がれた後、角Ｐ，Ｑからシール部３８ａ，３８ｂが剥がれ始める。
【００３３】
シール部３８ａ，３８ｂが完全に剥がれると、遮光袋１２が元の一枚のシート部材１２ａに戻って全てのシート部材１２ａが巻取り軸３の周りに巻き付けられる。次の瞬間、巻取り軸３に掛かる回転抵抗の変化が検出され、展開ローラ６８すなわち巻取り軸３の回転が停止される。これにより、予備室５２の中に１０枚のフイルムユニット３０が積層された状態で残留し、フイルム装填が完了する。このとき、圧板６１によって積層したフイルムユニット３０がフイルム装填室５１の露光開口５１ｂに向かって押圧されているから、最上層のフイルムユニット３０ａが露光位置にセットされる。
【００３４】
撮影レンズ７５を被写体に向けてシャッタボタンを押し下げれば、測光が行われた後、シャッタが駆動して露光開口５１ｂを介して最上層のフイルムユニット３０ａが露光される。露光完了直後に、カメラ５０内に組み込まれた送り出し爪が作動して露光済みのフイルムユニット３０ａのトラップ部３３側端部に係合し、フイルムユニット３０ａをフイルム排出口５１ａ，７１に向かって押し上げるとともに、展開ローラ６７，６８が回転を開始する。
【００３５】
フイルムユニット３０ａの現像処理液ポッド３２側端部がフイルム排出口５１ａから押し出されると、これを展開ローラ６７，６８が挟んで現像処理液ポッド３２を押しつぶしながらフイルムユニット３０ａをフイルム排出口７１に向かって送り出す。フイルムユニット３０ａがフイルム排出口７１から排出される間に、現像処理液が展開ローラ６７，６８によってフイルムユニット３０ａの感光シート３１に均一に展開される。フイルムユニット３０ａがフイルム排出口７１から排出された後、所定時間が経過すると、フイルムユニット３０ａの感光シート３１に被写体のポジ像が現出する。
【００３６】
以後、同様にシャッタボタンを操作することにより、フイルム装填室５１内の全てのフイルムユニット３０を１枚ずつ順次に露光することができる。全てのフイルムユニット３０の撮影が完了し、新しいフイルムユニット３０を装填する際には、シート部材１２ａが巻き付けられた巻取り軸３が支持部材６２，６３の先端部に残っているから、この巻取り軸３を取り出してから、新しいフイルムパック収納包装体１を予備室５２に挿入する。
【００３７】
このように最初から最後までフイルムパック２に直接手を触れることがなくフイルムユニット３０の装填作業を行うことができるから、フイルムユニット３０に圧力カブリやスタチックカブリを発生させることなく、また誤ってシール部４０等を剥がしてフイルムユニット３０に光カブリを起こさせるようなこともなく、安全，確実にフイルムユニット３０の装填を行うことができる。本実施形態では、カメラの上側からフイルムパックを挿入したが、カメラの下側から挿入することもできる。この場合、予備室は不要となるが、カメラを三脚に固定している場合に取扱性が悪化する。
【００３８】
上記巻取り軸３は、丸棒にギア１０を取り付けたシンプルなものであったが、図１２に示すように、カメラ側の支持部材に捕捉された後、軸方向に巻取り軸がずれないように、両端部に溝７７ａ，７７ｂを形成した巻取り軸７７（Ａ）や、シート部材の先端部を係止するスリットの代わりに軸に沿って長く切欠７８ａを設け、これにシート部材の先端部を貼着またはテープ止めするとともに、ギア７９を軸端に取り付けた巻取り軸７８（Ｂ）や、両側の軸端面に円錐状の凹部８１ａ，８１ｂを設けた巻取り軸８１（Ｃ）や、シート部材の巻端を揃える一対の鍔８３ａ，８３ｂを設けた巻取り軸８３（Ｄ）等でもよい。
【００３９】
巻取り軸８１を捕捉するカメラ側の支持部材としては、図１３や図１４に示すように、凹部８１ａ，８１ｂに入り込む円錐状の突起８５ａを形成した支持部材８５や、ボールプランジャー８６を用いる。また、巻取り軸を捕捉する支持部材の先端部の構造としては、図１１，図１３，１４に示したものの他、図１５に示すように、先端に鋏状の捕捉部材８８を取り付けた支持部材８９を用いることもできる。捕捉部材８８は、２枚の板状部材８８ａ，８８ｂを軸９１で回動自在に鋏状に組み合わせたもので、下部に取り付けたコイルバネ９２によって鋏部材８８ａ，８８ｂの先端側が閉じる方向に付勢されている。なお、鋏部材８８ａ，８８ｂに形成された円弧状の切欠９３，９４の形状は、巻取り軸７７等の径に対応しているのは勿論である。
【００４０】
また、巻取り軸の断面形状は、図１６に示すように、円形９５の他、十字形９６，多突起形９７，矩形９８等を用いることができる。なお、図示してないが、巻取り軸に巻き付けられるシート部材の蛇行を防止するために、例えば支持部材６２，６３の内側にガイド部材を設けることが好ましい。
【００４１】
フイルムパック収納包装体の別の実施形態を示す図１７及び図１８において、箱部材１１８には、例えば厚紙から形成され、フイルムパック２及び巻取り軸１０３を固定した固定板１２０が収納されており、箱部材１１８から固定板１２０を取り出してカメラに装填する。箱部材１１８は、図１７のように、例えば一端側の周面に沿って形成したミシン目１１９から容易に開けることができる。
【００４２】
フイルムパック２の落下防止のために設けられた押さえ部１２１は、固定板１２０の一端部をコ字形に折り曲げ、さらにこの左右両端の舌片１２１ａ，１２１ｂを内側に折り曲げたものである。押さえ部１２１と相対する端部には、軸固定部１２２が設けられている。この軸固定部１２２は、固定板１２０の他端部を直角に折り曲げ、この内壁面１２０ａの両端部に一対の軸受け部材１２３，１２４を固着したもので、軸受け部材１２３，１２４には巻取り軸１０３を挟み込んで固定する切り込み１２３ａ，１２４ａが形成されている。
【００４３】
別の固定板を示す図１９において、固定板１３０は、軸固定部１３１の軸受け部材１３２，１３３がほぼ半分に分割されており、この一方の部材１３２ａ，１３３ａに巻取り軸１３４を置いてから他方の部材１３２ｂ，１３３ｂを被せ、部材１３２ａ，１３３ａと部材１３２ｂ，１３３ｂとで巻取り軸１３４を挟んで固定する。なお、部材１３２ｂ，１３３ｂは、巻取り軸１３４に被せただけでは浮いてしまうが、箱部材１１８内に固定板１３０を挿入することにより箱部材１１８の内壁に規制され、浮くことが防止される。
【００４４】
軸固定部１３１と相対する位置に設けられた一対の押さえ部１３５，１３６は、固定板１３０の両端部を短冊状に細長く延長した部分をそれぞれ二つ折りにして立設したものである。これら押さえ部１３５，１３６は、フイルムパック２の幅方向の位置を規制するとともに、前記押さえ部材２１，２２と同様に、カメラ側の支持部材によって押されて倒伏される。
【００４５】
また、フイルムユニット３０としては、富士写真フイルム株式会社製のインスタントフイルム「ＡＣＥ」（商品名）やポラロイド社製インスタントフイルム「スペクトラ」（商品名）などが使用される。なお、「ＡＣＥ」は、露光面と反対側の面に画像が現れ、「スペクトラ」は、露光面と同じ側に画像が現れる。
【００４６】
「ＡＣＥ」タイプのフイルムユニット３０は、感光シートとカバーシートとからなる。感光シートの表面が露光面となり、カバーシートの表面に画像が現れる。感光シートは、バック層を有する支持体の上に、受像層，白色反射層，遮光層，赤感性乳剤層，緑感性乳剤層，青感性乳剤層，ＵＶ吸収剤層，保護層が順次に層設されており、感性乳剤層の各間には、混色防止層が設けられている。また、カバーシートは、支持体の上にフィルタ染料層，下に中和層，タイミング層が順次に層設されている。
【００４７】
本発明に使用されるシート部材は、遮光性，滑性が高く、剛性が適度にあることが要求される。フイルムユニットの遮光性を確保するためにシート部材のシート面から通過する光は、少なくとも０．０１ルックス・秒以下とする必要があり、例えば外光が１０万ルックス・１００秒の遮光性を保証する場合、１／１０9 以下に減光させる必要がある。このため、シート部材には、カーボンブラックや、アルミ箔、アルミの蒸着、またはその組み合わせ処理されていることが好ましい。カーボンブラックの添加量は、１ｇ／ｍ2 以上、好ましくは１．５ｇ／ｍ2 以上となるように設定する。使用するカーボンブラックは、低イオウ成分、例えば特開平３−１７９３４２号公報記載の材料が好ましい。
【００４８】
さらに、ＷＯ（国際公開）８９／１２８４７号公報によるとカーボン中にはシアン化合物が含まれているのが通常である。シアン化合物は写真フイルムに化学的影響を与えることが知られており、その含有量が増えると写真性に悪影響を及ぼす。写真性能に問題のないシアン化合物含有量はカーボンの使用量によって異なるが、一般的には３ｐｐｍ／カーボン重量である。ここでいうシアン化合物含有量は、次の方法で求められる。
【００４９】
カーボンを硫酸存在下にて還流し、発生したシアン化水素を０．１Ｎ水酸化ナトリウム水溶液でトラップした後、４−ピリジンカルボン酸・ピラゾロン吸光分析法にて定量する。しかる後に、このシアン化水素量をカーボン重量に対するｐｐｍ単位に換算する。
【００５０】
カーボンのシアン化合物含有量はＤＢＰ（過酸化ジブチル）吸油量と非常に相関がある。ＤＢＰ吸油量が６５ｍｌ／１００ｇ未満のカーボンでは、シアン化合物含有量が写真性能に対して危険領域に入る。また、カーボンに含まれる灰分量の関係においても非常に相関があり、その灰分量は０．５％以上でシアン化合物含有量が写真性能に対して危険領域に入る。
【００５１】
したがって本発明に使用するカーボンは、ＤＢＰ吸油量が６５ｍｌ／１００ｇ以上、または灰分量で規定するならば０．５％以下のカーボンであり、上記の測定方法でシアン化合物含有量が２ｐｐｍ以下であるカーボンが好ましい。
【００５２】
シート部材に使用されるポリマーは、ポリエチレン（ＰＥ），ポリプロピレン（ＰＰ），ポリエチレンテレフタレート（ＰＥＴ），ポリアミド（ＰＡ），ポリカーボネート（ＰＣ），ポリスチレン（ＰＳ），ポリフェニレンオキサイド（ＰＰＯ）などが挙げられ、剛性や接着剤の密着性，カーボンブラックの分散性，ラミネートの容易さ，蒸着層の容易さなどから、複合的に使用される。
【００５３】
遮光性で留意しなければならない点は、ピンホール状の光洩れ現象である。これは、遮光層または蒸着層の膜厚ムラ，ハジキ現象が発生すると、光カブリが発生する。また、シート部材でフイルムユニットを袋状に包み込んだときシール面の接着不良があると、シール面から光が侵入する原因となるので、シール条件や接着面の塗工均一性にも留意しなければならない。
【００５４】
シート部材に滑性を付与するには、シート部材の最外層に添加する方法と、塗工する方法がある。滑剤としては、シリコーンオイル類，オレイン酸アミド等の高級脂肪酸アミド，ステアリン酸亜鉛などの高級脂肪酸の金属塩，高級アルコールエステル，多価アルコールのエステルの脂肪酸エステルなどがあり、さらにアクリル系の微粒子マット剤，シリカ系のマット剤を表層に塗工するなどの方法がある。接着剤層の滑性付与には上記マット剤の使用が好ましい。
【００５５】
剛性は、小さいほど引き出す抵抗は低くなる傾向にあるが、裂けやすくなり、裂けた材料が部分的にカメラ中に残留すると、撮影時に写り込み、問題となる。また、剛性は、大きいと、引出し時に過大な抵抗となる。剛性の低い材料として、ＰＥ，ＰＡ、剛性の高い材料として、ＰＥＴ，ＰＣ，ＰＳなどに分類でき、これらを複合的に組み合わせ、厚みを調整することにより、最適の剛性を確保することができる。
【００５６】
また、防湿性を付与することは、フイルムの保護の上で効果がある。水分の面透過率は、４０℃９０％の雰囲気中で５ｍｇ／２４ｈｒ・１ｍ2 以下の材料であることが好ましいが、弱シール部分の防湿性を確保できない場合は、さらに外装の包装材を使用することで、確実な防湿性を確保することができる。この場合には、シート部材に防湿性を確保する必要はない。防湿性を確保するには、アルミ箔，アルミ蒸着，セラミック蒸着などが挙げられる。
【００５７】
フイルムユニットを包み込んだ後、フイルム面とシート部材が擦られて引き出されるので、フイルム表面の空気抵抗は低い方がスタチックカブリの発生が起こりにくい。シート部材の少なくともフイルムユニットを包む側（内側）の最外層に帯電防止剤やカーボンブラックを練り込んだり塗工する方法がある。
【００５８】
前記弱シールとは、２枚のシート部材を２０ｍｍ×５ｍｍの面積で接着した後、一方のシート部材を固定して他方のシート部材を水平方向かつ接着領域の長手方向に引っ張り、２枚のシート部材が互いに５ｍｍ剥がれるときの引張力の最大値が７００ｇ以下、好ましくは１００ｇ以上５００ｇ以下である接着面を有するものをいう。この引張力が大き過ぎると巻取り軸にかかる力が過大となり、ギアの破損，軸の変形またカメラの電池の消耗が大きくなる。引張力が小さ過ぎると、製品として取扱中にシール面が剥がれて光カブリをおこす。
【００５９】
接着剤としては、熱可塑性接着剤が使われる。例えば、ビニル系樹脂として、ポリ酢酸ビニル，ポリアクリル酸エステル、重縮合系樹脂として、ポリアミド，ポリエステル、重付加系樹脂として、熱可塑性ポリウレタン，またポリビニルアルコールなどが挙げられ、これらを混合して使ってもよい。
【００６０】
弱シール性を付与するには、接着剤の塗工量を下げ、分子量や他の樹脂（例えば充填剤，可塑剤，増粘剤）の添加により、凝集力を下げることが有効である。また、シート部材のシール面を接着しにくい材料（例えば、シリコーン，フッ素系材料など）で処理しておき、界面の接着強度を下げることでも実現できる。
【００６１】
なお、上記フイルムパック収納包装体の開口は、蓋部材によって塞がれるようにしたが、もっと簡易に、例えば開口よりやや大きいサイズのシール片で塞ぐようにしてもよい。
【００６２】
以上説明した実施形態では、遮光袋を形成するシート部材においてシール部のみに接着剤を塗設するようにしたが、シート部材の片側全面に予め接着剤を塗設しておき、シール部となる部分のみを加熱・加圧するようにしてもよい。
【００６３】
【発明の効果】
以上詳細に説明したように、本発明のフイルムパック収納包装体によれば、シート部材を袋状に形成してフイルムユニットを複数枚積層して収納したフイルムパックとシート部材の一端部を係止した巻取り軸とを箱部材に収納したので、最初から最後までフイルムパックに直接手を触れることがなくフイルムユニットの装填作業を行うことができる。したがって、フイルムユニットに圧力カブリやスタチックカブリを発生させることなく、また誤ってフイルムパックに損傷を与えてフイルムユニットに光カブリを起こさせるようなこともなく、安全，確実にフイルムユニットの装填を行うことができる。また、廃棄物としては、シート部材が巻き付けられた巻取り軸と箱部材だけであるから、箱部材に環境に優しい紙等のローコストな材料を用いれば、従来のハードプラスチック製ケースと金属製の板バネを用いたフイルムパックに比較して、コストや資源保護，環境保護等の面でも有利である。
【００６４】
また、本発明のカメラによれば、上記のようなフイルムパック収納包装体を予備室に挿入してから箱部材を引き出すことにより予備室にフイルムパックが収納されるとともに巻取り軸が予備室の支持部材に捕捉されるようにし、裏蓋を閉じることにより予備室がフイルム装填室に収納され、巻取り軸が回転駆動手段に連結されるようにしたので、フイルムパックに直接手で触ることなく、きわめて簡単，迅速にフイルムユニットの装填作業を行うことができる。
【図面の簡単な説明】
【図１】本発明に係る予備室，フイルムパック，巻取り軸，箱部材との関係を示す説明図である。
【図２】本発明のフイルムパック収納包装体の外観を示す斜視図である。
【図３】巻取り軸の一例を示す平面図である。
【図４】図３のIV−IV断面図である。
【図５】フイルムパック収納包装体の内部構造を示す断面図である。
【図６】フイルムパック収納包装体の内部を開口側から観た平面図である。
【図７】フイルムパックの外観を示す斜視図である。
【図８】遮光袋の展開図である。
【図９】筒状の包装部を示す斜視図である。
【図１０】カメラの裏蓋を閉じた直後の状態を示す説明図である。
【図１１】巻取り軸の端部を捕捉する支持部材の先端部構造を示す説明図である。
【図１２】別の巻取り軸の例を示す斜視図である。
【図１３】巻取り軸の軸端面に形成された円錐状の凹部に係合して巻取り軸を回動自在に支持する支持部材の例を示す断面図である。
【図１４】図１３に示す巻取り軸の凹部に係合されるボールプランジャーを示す断面図である。
【図１５】鋏形状の支持部材の例を示す説明図である。
【図１６】巻取り軸の断面形状の例を示す説明図である。
【図１７】別の箱部材の例を示す斜視図である。
【図１８】図１７に収納される固定板を示す説明図である。
【図１９】別の固定板の例を示す説明図である。
【符号の説明】
１  フイルムパック収納包装体
２  フイルムパック
３，７７，７８，８１，８３，１０３，１３４  巻取り軸
５，１１８  箱部材
７  蓋部材
１０  ギア
１２  遮光袋
１２ａ  シート部材
１４，１５  スペース
１８，１９，２０ａ，２０ｂ，２４  弾性部材
２１，２２  押さえ部材
３０  フイルムユニット
３５  包装部
３５ｂ，３５ｃ  縁部
３６  舌片部
３６ｂ  先端部
３８ａ，３８ｂ，４０  シール部
５０  カメラ
５１  フイルム装填室
５２  予備室
５３  裏蓋
６２，６３，８５，８９  支持部材
６５  切欠
８８  捕捉部材
１２０，１３０  固定板
１２１，１３５，１３６  押さえ部
１２２，１３１  軸固定部
【図１】
0003685471.tif 000002
【図２】
0003685471.tif 000003
【図３】
0003685471.tif 000004
【図４】
0003685471.tif 000005
【図５】
0003685471.tif 000006
【図６】
0003685471.tif 000007
【図７】
0003685471.tif 000008
【図８】
0003685471.tif 000009
【図９】
0003685471.tif 000010
【図１０】
0003685471.tif 000011
【図１１】
0003685471.tif 000012
【図１２】
0003685471.tif 000013
【図１３】
0003685471.tif 000014
【図１４】
0003685471.tif 000015
【図１５】
0003685471.tif 000016
【図１６】
0003685471.tif 000017
【図１７】
0003685471.tif 000018
【図１８】
0003685471.tif 000019
【図１９】
0003685471.tif 000020